(57)【要約】【課題】ユーザの利便性を向上させうる電子機器を提供する。【解決手段】電子機器１は、ＦＭラジオの周波数帯の電波を受信する受信部１１と、電波の受信レベルを受信部１１から取得するコントローラ１０と、電波の受信レベルを周波数毎に補正するオフセット値を格納する記憶部１２とを備える。コントローラ１０は、ＦＭラジオの周波数帯に含まれる所定の周波数を有する電波の受信レベルを、所定の周波数に対応するオフセット値を用いて補正した補正レベルを算出し、補正レベルと、所定の閾値との比較結果に基づく処理を実行する。【選択図】図１
2019033354.tif 000002
【特許請求の範囲】
【請求項１】
ＦＭラジオの周波数帯の電波を受信する受信部と、
前記電波の受信レベルを前記受信部から取得するコントローラと、
前記電波の受信レベルを周波数毎に補正するオフセット値を格納する記憶部と
を備え、
前記コントローラは、
前記ＦＭラジオの周波数帯に含まれる所定の周波数を有する前記電波の受信レベルを、該所定の周波数に対応する前記オフセット値を用いて補正した補正レベルを算出し、
前記補正レベルと、所定の閾値との比較結果に基づく処理を実行する、
電子機器。
【請求項２】
ディスプレイをさらに備え、
前記コントローラは、前記補正レベルと、前記所定の閾値に含まれる表示閾値との比較結果に基づく態様のマークを前記ディスプレイに表示させる、請求項１に記載の電子機器。
【請求項３】
ネットワークと通信する通信部をさらに備え、
前記ディスプレイは、第１表示領域と第２表示領域とを有し、
前記コントローラは、
前記通信部が受信する通信信号の受信レベルを取得し、前記第１表示領域に前記通信信号の受信レベルに基づく態様のマークを表示させ、
前記第２表示領域に、前記ＦＭラジオを受信する機能に関する画面とともに、前記補正レベルと、前記表示閾値との比較結果に基づく態様のマークを表示させる、請求項２に記載の電子機器。
【請求項４】
前記コントローラは、
前記電波の受信レベルを高める信号ケーブルが前記受信部に接続されているか検出し、
前記ＦＭラジオを受信する機能を実行する操作を受け付けたときに、前記信号ケーブルが接続されていないと検出した場合、前記比較結果に基づく態様のマークを前記ディスプレイに表示させる前に、前記信号ケーブルが接続されないと前記電波を取得できない旨を、前記ディスプレイに表示させる、請求項２又は３に記載の電子機器。
【請求項５】
前記所定の閾値は、スキャン閾値を含み、
前記コントローラは、
前記電波の受信レベルを周波数毎に算出するために前記電波を受信する周波数をスキャンし、
所定の周波数における前記補正レベルが前記スキャン閾値以上である場合、前記所定の周波数を、前記電波を受信する周波数に決定する、請求項１乃至４のいずれか一項に記載の電子機器。
【請求項６】
前記電波を復調して得られる復調信号に基づく音声を出力する出力部をさらに備え、
前記所定の閾値は、ミュート閾値を含み、
前記コントローラは、前記補正レベルが前記ミュート閾値未満である場合、前記出力部をミュート状態にさせる、請求項１乃至５のいずれか一項に記載の電子機器。
【請求項７】
基準発振器をさらに備え、
前記オフセット値は、前記基準発振器で発生するノイズに基づいて決定される、請求項１乃至６のいずれか一項に記載の電子機器。
【請求項８】
スイッチング電源をさらに備え、
前記オフセット値は、前記スイッチング電源で発生するノイズに基づいて決定される、請求項１乃至７のいずれか一項に記載の電子機器。
【請求項９】
前記コントローラは、自機の位置情報を取得し、前記位置情報に基づき、前記電波が前記ＦＭラジオの放送に係る搬送波を含まない無信号周波数を決定する、請求項１乃至８のいずれか一項に記載の電子機器。
【請求項１０】
前記コントローラは、前記無信号周波数での前記電波の受信レベルに基づいて前記オフセット値を決定する、請求項９に記載の電子機器。
【請求項１１】
前記コントローラは、前記無信号周波数をスキップして前記電波を受信する周波数をスキャンする、請求項９又は１０に記載の電子機器。
【発明の詳細な説明】
【技術分野】
【０００１】
本開示は、電子機器に関する。
【背景技術】
【０００２】
ＦＭラジオの受信機能を備える携帯電話が知られている（例えば、特許文献１参照）。
【先行技術文献】
【特許文献】
【０００３】
【特許文献１】特開２０１６−２０８３３４号公報
【発明の概要】
【発明が解決しようとする課題】
【０００４】
ＦＭラジオ等の電波の受信レベルに基づいて種々の動作を実行する場合、携帯電話の動作で発生するノイズによって、本来想定される動作とは異なる動作を実行することがある。このような動作は、ユーザの利便性を損ないうる。
【０００５】
本開示は、上述の点に鑑みてなされたものであり、ユーザの利便性を向上させうる電子機器を提供することを目的とする。
【課題を解決するための手段】
【０００６】
上記目的を達成する本開示の一実施形態に係る電子機器は、ＦＭラジオの周波数帯の電波を受信する受信部を備える。前記電子機器は、前記電波の受信レベルを前記受信部から取得するコントローラを備える。前記電子機器は、前記電波の受信レベルを周波数毎に補正するオフセット値を格納する記憶部を備える。前記コントローラは、前記ＦＭラジオの周波数帯に含まれる所定の周波数を有する前記電波の受信レベルを、該所定の周波数に対応する前記オフセット値を用いて補正した補正レベルを算出する。前記コントローラは、前記補正レベルと、所定の閾値との比較結果に基づく処理を実行する。
【発明の効果】
【０００７】
本開示の一実施形態に係る電子機器によれば、ユーザの利便性が向上されうる。
【図面の簡単な説明】
【０００８】
【図１】一実施形態に係る電子機器の構成例を示すブロック図である。
【図２】一実施形態に係る電子機器の構成例を示すブロック図である。
【図３】一実施形態に係る電子機器の外観の一例を示す平面図である。
【図４】一実施形態に係る電子機器の外観の一例を示す平面図である。
【図５】電子機器のメニュー画面の一例を示す図である。
【図６】ＦＭ受信画面の一例を示す図である。
【図７】ＦＭラジオの受信機能を実行する際の警告画面の一例を示す図である。
【図８】受信周波数を変更する手順の一例を示すフローチャートである。
【図９】受信周波数を変更する手順の一例を示すフローチャートである。
【発明を実施するための形態】
【０００９】
図１に示されるように、一実施形態に係る電子機器１は、コントローラ１０と、受信部１１と、記憶部１２と、出力部１３と、ディスプレイ１４とを備える。
【００１０】
コントローラ１０は、電子機器１の各構成部と接続され、各構成部から情報を取得したり、各構成部を制御したりしうる。コントローラ１０は、１以上のプロセッサを含んでよい。プロセッサは、特定のプログラムを読み込ませて特定の機能を実行する汎用のプロセッサ、及び特定の処理に特化した専用のプロセッサを含んでよい。専用のプロセッサは、特定用途向けＩＣ（ＡＳＩＣ：Application Specific Integrated Circuit）を含んでよい。プロセッサは、プログラマブルロジックデバイス（ＰＬＤ：Programmable Logic Device）を含んでよい。ＰＬＤは、ＦＰＧＡ（Field-Programmable Gate Array）を含んでよい。コントローラ１０は、１つ又は複数のプロセッサが協働するＳｏＣ（System on a Chip）、及びＳｉＰ（System in a Package）のいずれかであってよい。
【００１１】
受信部１１は、所定の周波数帯の電波を受信する。所定の周波数帯は、ＦＭラジオ等の放送に係る音声信号を変調した搬送波の周波数を含んでよい。ＦＭラジオの放送に係る音声信号を変調した搬送波は、ＦＭラジオの搬送波ともいう。ＦＭラジオの搬送波は、各ＦＭラジオ局に割り当てられた放送用周波数でありうる。ＦＭラジオの搬送波を含む所定の周波数帯は、ＦＭラジオの周波数帯ともいう。受信部１１は、コントローラ１０によって設定された周波数の電波を受信する。受信部１１は、受信した電波を復調し、復調信号を生成する。受信している電波の周波数が搬送波の周波数と合う場合、受信した電波に基づく復調信号は、放送に係る音声信号と同一又は類似となりうる。受信している電波の周波数は、受信周波数ともいう。受信周波数が搬送波の周波数と合う場合は、受信周波数が搬送波の周波数と同一である場合、又は、受信周波数が搬送波の周波数の近傍である場合を含む。受信周波数が搬送波の周波数と合わない場合、受信した電波に基づく復調信号は、ノイズを多く含みうる。受信部１１は、復調信号を出力部１３に出力する。受信部１１は、コントローラ１０に含まれてよい。受信部１１は、ＩＣ等の１つのチップに、コントローラ１０とともに実装されてよい。受信部１１は、コントローラ１０が実装されるチップとは異なるチップに実装されてよい。
【００１２】
受信部１１は、電波の受信アンテナとして機能する信号ケーブル１１ａを備えてよい。信号ケーブル１１ａは、電子機器１に接続される電源ケーブルであってよいし、イヤホン又はヘッドホン等のケーブルであってよい。信号ケーブル１１ａは、電子機器１のＵＳＢポートに接続されてよいし、イヤホンジャックに接続されてもよい。受信部１１は、信号ケーブル１１ａを備える場合、信号ケーブル１１ａを備えない場合よりも、電波を受信しやすくなる。結果として、受信部１１は、強い強度で電波を受信しうる。受信部１１が受信する電波の強度は、電波の受信レベルともいう。つまり、信号ケーブル１１ａは、電波の受信レベルを高めうる。
【００１３】
記憶部１２は、各種情報、又は電子機器１の各構成部を動作させるためのプログラム等を格納してよい。記憶部１２は、例えば半導体メモリ等で構成されてよい。記憶部１２は、コントローラ１０のワークメモリとして機能してよい。記憶部１２は、コントローラ１０に含まれてよい。
【００１４】
出力部１３は、受信部１１から取得した復調信号に基づく音声を出力する。復調信号が放送に係る音声信号と同一又は類似である場合、ユーザは、出力部１３から出力される音声によって放送を聴取しうる。復調信号がノイズを多く含む場合、ユーザは、出力部１３から出力される音声を放送として認識しにくくなる。出力部１３は、復調信号に基づく音声を出力するスピーカを備えてよい。出力部１３は、イヤホンジャックを備えてよい。出力部１３は、イヤホンジャックに接続されたイヤホン又はヘッドホン等の音声出力機器に復調信号を出力してよい。出力部１３は、イヤホンジャックに音声出力機器が接続される場合、スピーカから音声を出力しないようにしてよい。出力部１３は、イヤホンジャックに音声出力機器が接続される場合でも、スピーカから音声を出力してよい。出力部１３は、操作部１５からの入力に基づいて、イヤホンジャックに接続される音声出力機器から音声を出力するか、スピーカから音声を出力するか決定してよい。
【００１５】
出力部１３は、音声を出力する出力状態、及び、音声を出力しないミュート状態のいずれか一方の状態に遷移してよい。出力部１３は、コントローラ１０からの制御指示に基づいて、ミュート状態に遷移してよい。出力部１３は、コントローラ１０からの制御指示に基づいて、ミュート状態を解除し、出力状態に遷移してよい。
【００１６】
ディスプレイ１４は、コントローラ１０から取得した情報に基づき、文字、画像、操作用オブジェクト、ポインタ等を表示する。ディスプレイ１４は、コントローラ１０が実行する電子機器１の各機能に関する画面を表示してよい。ディスプレイ１４は、例えば液晶、有機ＥＬ（Electro-Luminescence）、無機ＥＬ又はＬＥＤ（Light Emission Diode）等の表示デバイスを含んでよい。
【００１７】
図２に示されるように、電子機器１は、操作部１５と、通信部１６と、位置情報取得部１７との少なくとも１つをさらに備えてよい。
【００１８】
操作部１５は、物理キーを備えてよいし、タッチセンサ又は近接センサ等の入力デバイスを備えてよい。コントローラ１０は、操作部１５からの入力に基づいて、電子機器１を制御してよい。コントローラ１０は、操作部１５からの入力に基づいて、受信周波数を変更してよい。
【００１９】
通信部１６は、通信デバイスを備えてよい。通信デバイスは、例えば、セルラ通信又はＬＡＮ（Local Area Network）等の通信インタフェースであってよい。通信部１６は、通信インタフェースによってネットワークに通信可能に接続され、ネットワークと通信してよい。通信部１６は、ネットワークを介してサーバ装置等の外部装置に通信可能に接続されてよい。
【００２０】
位置情報取得部１７は、電子機器１の位置情報を取得しうる。つまり、位置情報取得部１７は、自機の位置情報を取得しうる。位置情報取得部１７は、ＧＰＳ（Global Positioning System）又はＧＮＳＳ（Global Navigation Satellite System）等に基づいて自機の位置情報を取得する位置センサを含んでよい。位置センサは、無線ＬＡＮ等の電波強度に基づいて自機の位置情報を取得してよい。位置情報取得部１７は、操作部１５から入力されたデータに基づき、自機の位置情報を取得してよい。位置情報取得部１７は、ユーザが入力した地域名、都道府県名、又は市区町村名等に基づき、自機の位置情報を取得してよい。地域名は、複数の都道府県又は市区町村にまたがる名称を含んでよい。地域名は、例えば関東地方又は京浜地域等の名称を含んでよい。
【００２１】
図３に示されるように、一実施形態に係る電子機器１は、いわゆる折りたたみ式のフィーチャーフォンであってよい。折りたたみ式のフィーチャーフォンは、フリップ型又はクラムシェル型等とも称される。電子機器１は、上部筐体２と下部筐体３とが、ヒンジ部４によって回動可能に接続されてよい。上部筐体２は、ディスプレイ１４を備えてよい。下部筐体３は、操作部１５を備えてよい。操作部１５は、テンキー等の物理キーの他、物理キーが設けられていない部位にタッチパッド１５１を備えてよい。コントローラ１０は、例えば物理キーへの入力に基づいて、操作用のオブジェクトの選択操作を受け付けてよいし、タッチパッド１５１への入力に基づいて、ポインタ等の移動操作を受け付けてもよい。
【００２２】
図４に示されるように、一実施形態に係る電子機器１は、いわゆるスマートフォンであってよい。電子機器１は、ディスプレイ１４と操作部１５とを備えてよい。操作部１５は、タッチパネルであってよい。コントローラ１０は、例えばディスプレイ１４に表示された操作用のオブジェクトと、タッチパネルへのタッチ又はスライド等の入力に基づく操作入力を受け付けてよい。
【００２３】
電子機器１は、図３及び図４に例示される態様に限られず、他の種々の態様の機器であってよい。
【００２４】
受信部１１は、ＦＭラジオの搬送波を受信可能に構成されてよい。つまり、電子機器１は、ＦＭラジオの受信機能を有してよい。以下、電子機器１は、ＦＭラジオを受信するものとする。ＦＭラジオの搬送波は、単に搬送波ともいう。ＦＭラジオの受信機能は、搬送波を受信する機能と、受信した搬送波を放送に係る音声信号に復調する機能と、放送に係る音声信号を出力部１３に出力する機能とを含んでよい。コントローラ１０は、操作部１５への入力に基づいて、ＦＭラジオの受信機能を実行してよい。電子機器１が操作部１５として物理キーを備える場合、コントローラ１０は、物理キーの押下に基づいて、ＦＭラジオの受信機能を実行してよい。電子機器１が操作部１５としてタッチパネルを備える場合、コントローラ１０は、タッチパネルへのタッチ又はスライド等に基づいて、ＦＭラジオの受信機能を実行してよい。
【００２５】
図５に示されるように、コントローラ１０は、実行可能な機能のリストを表すメニュー画面をディスプレイ１４に表示させてよい。ディスプレイ１４は、第１表示領域１４１と第２表示領域１４２とを含んでよい。コントローラ１０は、第１表示領域１４１に、電子機器１の状態等を表すピクトグラムを表示させてよい。ピクトグラムは、マナーモード等の動作モードを表すマーク、バッテリ残量を表すマーク、又は、セルラ通信若しくはＬＡＮ等の通信信号の受信レベルに基づく態様のマーク等を含んでよい。通信信号の受信レベルに基づく態様のマークは、縦棒の本数で通信信号の受信レベルを表してよい。縦棒の本数で通信信号の受信レベルを表す態様のマークは、アンテナピクトともいう。通信信号の受信レベルが高いほど、縦棒の本数が多くされてよい。コントローラ１０は、第２表示領域１４２に、メニュー画面を表示させてよい。
【００２６】
コントローラ１０は、操作部１５への入力に基づいて、メニュー画面に含まれる各機能を選択する反転カーソルを移動させ、反転カーソルで表される機能を実行してよい。コントローラ１０は、ディスプレイ１４に重畳して位置するタッチパネルへのタッチ等に基づいて、メニュー画面に含まれる各機能を選択して実行してよい。
【００２７】
図６に示されるように、コントローラ１０は、ＦＭラジオの受信機能を実行した場合、第２表示領域１４２に、ＦＭラジオの受信機能に係る画面を表示させてよい。ＦＭラジオの受信機能に係る画面は、ＦＭ受信画面ともいう。ＦＭ受信画面は、例えば、受信周波数を数字又はバー等で表示してよい。ＦＭ受信画面は、受信周波数が放送局から送信される搬送波の周波数に対応する場合、その放送局の名称を表示してよい。
【００２８】
コントローラ１０は、受信部１１で受信している電波の受信レベルをＲＳＳＩ（Received Signal Strength Indicator）で表してよい。ＲＳＳＩは、受信部１１で受信している電波の強度に対応する数値である。電波の強度が大きいほど、ＲＳＳＩの値が高いものとする。ＲＳＳＩは、例えば０〜２５５の範囲とされてよいし、０〜１００の範囲とされてよい。ＲＳＳＩは、これらに限られず、任意の数値範囲とされてよい。コントローラ１０は、受信部１１で受信している電波の受信レベルをｄＢｍで表してもよい。ｄＢｍは、電波の強度を電力で表す場合に用いられる単位である。ｄＢｍは、電力の基準値を１ミリワット（ｍＷ）として、基準値と電波の強度との関係をデシベル（ｄＢ）で表す値の単位として用いられる。受信部１１で受信する電波の強度は、受信部１１で受信する電力に対応しうる。
【００２９】
受信部１１で受信する電波は、搬送波だけでなくノイズも含みうる。搬送波の強度とノイズの強度との比は、Ｃ／Ｎ（Carrier to Noise ratio）比で表されうる。搬送波の復調で得られる放送に係る音声信号の強度とノイズの強度との比は、Ｓ／Ｎ（Signal to Noise）比で表されうる。電波の受信レベルは、搬送波の強度とノイズの強度とをあわせた電波の強度として算出されうる。
【００３０】
電波の受信レベルは、受信周波数が搬送波の周波数と同一である場合、又は、受信周波数が搬送波の周波数の近傍の値である場合に高くなりうる。例えば、受信周波数と搬送波の周波数との差が所定値未満となる場合、その電波の受信レベルは高くなりうる。所定値は、電波を受信するアンテナのＱ値に基づく値であってよい。電波の受信レベルは、高い強度を有するノイズの周波数と受信周波数とが近い場合にも高くなりうる。受信部１１は、電子機器１の内部で発生するノイズを受信しうる。受信部１１は、信号ケーブル１１ａを介して受信した電波と、電子機器１の内部で発生するノイズとを区別しにくいことがある。つまり、受信部１１は、電子機器１の内部で発生するノイズが混入した電波を受信しうる。
【００３１】
電子機器１の内部で発生するノイズは、例えば、電子機器１が有する基準発振器又はスイッチング電源からの逓倍波でありうる。基準発振器は、通信部１６が無線で通信する場合に無線通信の搬送波の周波数の制御に用いられる基準周波数の逓倍波を発生しうる。スイッチング電源は、電子機器１の動作に必要とされる電圧を生成するために実行されるスイッチング動作の周波数の逓倍波を発生しうる。基準発振器又はスイッチング電源から発生する逓倍波の周波数は、数ＭＨｚ〜十数ＭＨｚの自然数倍でありうる。これらの逓倍波の周波数は、例えばＦＭラジオの搬送波の周波数帯に含まれうる。
【００３２】
受信部１１が搬送波とノイズとを区別して受信することは難しいことがある。搬送波とノイズとが区別され難い場合、コントローラ１０が電波のＣ／Ｎ比又はＳ／Ｎ比を取得することは難しい。例えば受信部１１がコントローラ１０等とともにプロセッサに実装される場合にも、コントローラ１０が電波のＣ／Ｎ比又はＳ／Ｎ比を取得し難いことがある。電波のＣ／Ｎ比又はＳ／Ｎ比が取得されにくい場合、コントローラ１０は、電波の受信レベルが搬送波の成分を多く含むのか、ノイズの成分を多く含むのかを判定し難い。結果として、コントローラ１０は、受信レベルに基づいて搬送波を含む電波の周波数を検出する際に、ノイズを多く含む電波の周波数を誤って検出する可能性が高まる。
【００３３】
コントローラ１０は、ＦＭラジオの周波数帯において高い強度を有するノイズの周波数を特定し、そのノイズの受信レベルを予め取得してよい。コントローラ１０は、例えば、基準発振器又はスイッチング電源からの逓倍波に起因するノイズの周波数を特定し、そのノイズの受信レベルを予め取得しうる。コントローラ１０は、受信した電波の受信レベルからノイズの受信レベルを差し引くことによって、ＦＭラジオの搬送波の受信レベルに近い値を取得しうる。つまり、コントローラ１０は、ノイズの周波数とノイズの受信レベルとの関係に基づいて、受信した電波の受信レベルを補正しうる。コントローラ１０は、ノイズの周波数とノイズの受信レベルとの関係をオフセット値として記憶部１２に格納し、オフセット値に基づいて電波の受信レベルを補正してよい。補正した受信レベルは、補正レベルともいう。例えば、コントローラ１０は、受信した電波の受信レベルから記憶部１２に格納されたノイズの受信レベルを減算して、減算後の値を補正レベルとして取得してよい。
【００３４】
ＦＭ受信画面は、受信部１１で受信している電波の受信レベルに基づく態様のマークを表示してよい。受信レベルに基づく態様のマークは、ＦＭラジオピクト２０ともいう。ＦＭラジオピクト２０は、例えば、縦線又は同心円弧等の線の本数を異ならせたマークであってよい。受信レベルが高いほど、ＦＭラジオピクト２０に含まれる線の本数が多く表されてよい。図６に示されるディスプレイ１４において、ＦＭラジオピクト２０は、最大３本の縦線で受信レベルを表すものとする。ＦＭラジオピクト２０は、２本以下の線で受信レベルを表してよいし、４本以上の線で受信レベルを表してもよい。ＦＭラジオピクト２０は、他の態様によって受信レベルを表してもよい。
【００３５】
コントローラ１０は、アンテナピクトを第１表示領域１４１に表示させる一方で、ＦＭラジオピクト２０を第２表示領域１４２に表示させてよい。アンテナピクトと、ＦＭラジオピクト２０とがディスプレイ１４の異なる領域に表示されることによって、ユーザは、通信信号の受信レベルに関する表示と、電波の受信レベルに関する表示とを見分けやすくなる。
【００３６】
コントローラ１０は、ＲＳＳＩ又はｄＢｍ等で表される補正レベルと所定の閾値との比較結果に基づいて、表示するＦＭラジオピクト２０の形態を変化させてよい。コントローラ１０は、所定の閾値として、第１表示閾値、第２表示閾値及び第３表示閾値を用いてよい。第１表示閾値、第２表示閾値及び第３表示閾値は、受信した電波を復調して得られる復調信号のＳ／Ｎ比の目標値に基づいて設定されてよいし、補正レベルの最大値から最小値までの範囲を均等に分割する値に設定されてもよい。
【００３７】
補正レベルが第１表示閾値未満である場合、コントローラ１０は、ＦＭラジオピクト２０を表示しなくてよい。補正レベルが第１表示閾値以上且つ第２表示閾値未満である場合、コントローラ１０は、ＦＭラジオピクト２０を１本の縦線で表示してよい。補正レベルが第２表示閾値以上且つ第３表示閾値未満である場合、コントローラ１０は、ＦＭラジオピクト２０を２本の縦線で表示してよい。補正レベルが第３表示閾値以上である場合、コントローラ１０は、ＦＭラジオピクト２０を３本の縦線で表示してよい。言い換えれば、補正レベルが高いほど、ＦＭラジオピクト２０の縦線の本数が多く表示されてよい。コントローラ１０は、ＦＭラジオピクト２０を３本の縦線で表示している状態において、ユーザがＦＭラジオの放送に係る音声を聴取可能となるように、第３表示閾値を設定してよい。コントローラ１０は、ＦＭラジオピクト２０を３本の縦線で表示している状態において、ユーザが聴取する音声にできるだけノイズが重畳しないように、第３表示閾値を設定してよい。
【００３８】
図６に示されるＦＭラジオピクト２０は、実線の矩形と破線の矩形とで表示される。実線の矩形の数は、補正レベルの高さを表すように表示される縦線の数に対応する。つまり、補正レベルが高いほど、実線の矩形の数が多く表示される。実線の矩形は、最大で３個表示されるものとする。破線の矩形は、実線の矩形とあわせて３個となるように表示されるものとする。つまり、２個の実線の矩形で補正レベルが表される場合、ＦＭラジオピクト２０は、２個の実線の矩形とあわせて１個の破線の矩形も表示するものとする。図６に示されるＦＭラジオピクト２０は、２個の実線の矩形と１個の破線の矩形とで表示される。この場合、補正レベルは、第２表示閾値以上且つ第３表示閾値未満であるといえる。
【００３９】
ＦＭラジオピクト２０の態様は、図６に示される態様に限られない。実線の矩形と破線の矩形とはそれぞれ、異なる色で塗りつぶされた矩形に置き換えられてよい。例えば、実線の矩形及び破線の矩形はそれぞれ、白色の矩形とグレーの矩形とに置き換えられてよい。
【００４０】
補正レベルと所定の閾値との比較結果に基づいて表示されるＦＭラジオピクト２０は、受信レベルと所定の閾値との比較結果に基づいて表示されるＦＭラジオピクト２０よりも、搬送波の受信レベルをより正確に表しうる。仮に、ＦＭラジオピクト２０が電波の受信レベルと所定の閾値との比較結果に基づいて表示される場合、受信している電波がノイズを多く含む場合であっても、ＦＭラジオピクト２０は、実線の矩形を３個表示し、搬送波の受信レベルが高いことを表しうる。この場合、ＦＭラジオピクト２０の表示に反して、復調信号がほとんどノイズとなりうる。つまり、ＦＭラジオピクト２０が搬送波の受信レベルが高いことを表すにもかかわらず、ユーザがＦＭラジオ放送を聴取しにくい事態が起こりうる。このような事態は、ユーザにとっての利便性を損ないうる。ＦＭラジオピクト２０が補正レベルと所定の閾値との比較結果に基づいて表示されることによって、ＦＭラジオピクト２０の表示態様と、実際の搬送波の受信レベルとの間の乖離が小さくなりうる。結果として、電子機器１のユーザの利便性が向上されうる。
【００４１】
受信部１１は、信号ケーブル１１ａとしてイヤホンケーブル等が接続されていない場合、電波を受信しにくくなる。言い換えれば、信号ケーブル１１ａは、電波の受信レベルを高めうる。コントローラ１０は、ＦＭラジオの受信機能を実行する際に電子機器１に信号ケーブル１１ａが接続されていない場合、ディスプレイ１４にＦＭラジオピクト２０を表示させる前に、図７に示されるような警告画面を表示させてよい。図７に示される警告画面は、イヤホンの接続を促す内容を含むが、これに限られず、ヘッドホンの接続を促す内容を含んでよいし、電源ケーブルの接続を促す内容を含んでもよい。図７に示される警告画面は、信号ケーブル１１ａが接続されないと電波を取得できない旨の表示でありうる。このようにすることで、ユーザに対する注意喚起が適切なタイミングでなされうる。信号ケーブル１１ａが接続されていない状態でＦＭラジオの受信機能を実行した場合に、ＦＭラジオピクト２０を搬送波の受信レベルが低いことを表す表示態様とすれば、電波を受信しにくい状況を把握しうる。しかしながら、図７に示されるような警告画面を表示させることで、電波を受信しにくい状況の把握がより容易になる。結果として、電子機器１のユーザの利便性が向上されうる。
【００４２】
コントローラ１０は、電子機器１に電源ケーブル又はイヤホン若しくはヘッドホン等が接続された場合、ＦＭラジオの受信機能を実行するためのメニュー画面をディスプレイ１４に表示させてよい。コントローラ１０は、電子機器１にイヤホン又はヘッドホンが接続されている場合、イヤホンピクト２２を表示してもよい。イヤホンピクト２２は、ＦＭラジオの音声をイヤホン又はヘッドホンを通じて聴けることを表してよい。
【００４３】
コントローラ１０は、操作部１５からの入力に基づいて、ＦＭラジオの音声のボリュームを制御してよい。コントローラ１０は、操作キーに十字キーが含まれる場合、十字キーのうち上下に対応するキーの押下に基づいて、ボリュームを大きくしたり小さくしたりしてよい。コントローラ１０は、ディスプレイ１４にボリューム調整のアイコンを表示し、タッチパネルへの入力に基づいて、ボリュームを大きくしたり小さくしたりしてよい。
【００４４】
コントローラ１０は、操作部１５からの入力に基づいて、受信周波数を変更してよい。コントローラ１０は、操作キーに十字キーが含まれる場合、十字キーのうち左右に対応するキーの押下に基づいて、周波数を高くしたり低くしたりしてよい。コントローラ１０は、ディスプレイ１４に周波数変更のアイコンを表示し、タッチパネルへの入力に基づいて、周波数を高くしたり低くしたりしてよい。コントローラ１０は、予め登録された周波数を、操作部１５を介してユーザに選択させ、受信周波数をユーザが選択した周波数に変更してよい。
【００４５】
コントローラ１０は、受信周波数をスキャンし、搬送波の周波数を自動で検出してよい。コントローラ１０は、検出した周波数に対応する放送局を選局するともいえる。コントローラ１０は、十字キーのうち左右に対応するキーの長押しに基づいて、受信周波数のスキャンを開始してよい。
【００４６】
コントローラ１０は、受信周波数をスキャンする間、各周波数における電波の受信レベルを取得する。コントローラ１０は、電波の受信レベルを、オフセット値に基づいて補正してよい。コントローラ１０は、補正レベルと所定の閾値との比較結果に基づいて、受信している電波が搬送波の成分を含むか判定してよい。コントローラ１０は、補正レベルが所定の閾値以上である場合、その電波が搬送波の成分を含むものと判定し、受信周波数のスキャンを停止してよい。
【００４７】
電波が搬送波の成分を含むかの判定に用いられる所定の閾値は、スキャン閾値ともいう。補正レベルとスキャン閾値との比較結果に基づく判定は、受信レベルとスキャン閾値との比較結果に基づく判定よりも、ノイズを多く含む周波数でのスキャンの停止が起こりにくくなる。結果として、電子機器１のユーザの利便性が向上しうる。スキャン閾値は、第１表示閾値と同じ値、又は、第１表示閾値より大きい値とされてよい。このようにすることで、ＦＭラジオピクト２０の縦線が少なくとも１本表示される周波数において、コントローラ１０は、電波が搬送波の成分を含むと判定してスキャンを停止しうる。結果として、ＦＭラジオピクト２０の表示態様と実際の搬送波の受信レベルとの乖離が小さくされうる。
【００４８】
受信部１１が受信する電波が搬送波の成分をほとんど含まない場合、受信部１１がその電波を復調して得られる復調信号は、ノイズを多く含みうる。この場合、コントローラ１０は、出力部１３に過大なノイズを出力させないように、出力部１３をミュート状態に遷移させうる。コントローラ１０は、補正レベルと所定の閾値との比較結果に基づいて、出力部１３をミュート状態に遷移させてよい。コントローラ１０は、補正レベルが所定の閾値未満である場合、受信している電波を復調して得られる復調信号がノイズを多く含むものと判定し、出力部１３をミュート状態に遷移させてよい。
【００４９】
出力部１３をミュート状態に遷移させるかの判定に用いられる所定の閾値は、ミュート閾値ともいう。補正レベルと所定の閾値との比較結果に基づく判定は、受信レベルと所定の閾値との比較結果に基づく判定よりも、イヤホン又はスピーカ等からノイズが出力されにくくしうる。結果として、電子機器１のユーザの利便性が向上しうる。
【００５０】
電子機器１の周囲の状況が変化した場合、電波の受信レベルが変化することがある。例えば電子機器１が移動する場合、電波の受信レベルが変化することがある。電子機器１が鉄筋建築等の電波が入りにくい建物内、又は、地下等に移動することによって、電波の受信レベルが低くなりうる。電子機器１が屋外又は高台等の電波を受信しやすい場所に移動することによって、電波の受信レベルが高くなりうる。例えば電子機器１の周囲に電波を遮蔽する物体が移動してきた場合、電波の受信レベルが低くなりうる。
【００５１】
電波の受信レベルが変化した場合、コントローラ１０は、変化した受信レベルを補正した補正レベルと所定の閾値との比較に基づく処理を実行してよい。変化した受信レベルを補正した補正レベルは、変化した補正レベルともいう。コントローラ１０は、変化した補正レベルと表示閾値との比較に基づいて、ＦＭラジオピクト２０の形態を変化させてよい。コントローラ１０は、変化した補正レベルとミュート閾値との比較に基づいて、出力部１３をミュート状態に遷移させてよい。このようにすることで、電子機器１が状況の変化に応じて動作しうる。結果として、電子機器１のユーザの利便性が向上しうる。
【００５２】
電子機器１のユーザは、受信するＦＭラジオを選局するために、受信周波数を変更しうる。コントローラ１０は、操作部１５からの入力に基づいて、受信周波数を変更してよい。受信周波数が変更された場合、電波の受信レベルが変化しうる。コントローラ１０は、受信周波数を変更した場合、新たな受信周波数の電波の受信レベルを受信部１１から取得してよい。コントローラ１０は、新たな受信周波数の電波の受信レベルを補正した補正レベルと所定の閾値との比較に基づく処理を実行してよい。新たな受信周波数の電波の受信レベルを補正した補正レベルは、新たな補正レベルともいう。コントローラ１０は、新たな補正レベルと表示閾値との比較に基づいて、ＦＭラジオピクト２０の形態を変化させてよい。このようにすることで、ユーザが周波数を選択しやすくなる。コントローラ１０は、新たな補正レベルとミュート閾値との比較に基づいて、出力部１３をミュート状態にさせてよい。このようにすることで、選択された周波数の電波が搬送波をほとんど含まない場合でも、過大なノイズが出力されにくくなる。結果として、電子機器１のユーザの利便性が向上しうる。
【００５３】
搬送波の周波数は、各地域で異なりうる。各地域において、搬送波の周波数は決められている。搬送波の周波数と異なる周波数において、電波の受信レベルは所定値以下となりうる。つまり、各地域において、搬送波の受信レベルが所定値以下となる周波数が存在しうる。所定値は、例えば、電波を復調して得られる復調信号のＳ／Ｎ比が所定の目標値未満となるような受信レベルを表す閾値であってよい。搬送波の受信レベルが所定値以下となる周波数は、無信号周波数ともいう。コントローラ１０は、位置情報取得部１７から自機の位置情報を取得しうる。コントローラ１０は、自機の位置情報に基づいて、無信号周波数を決定しうる。コントローラ１０は、各地域における無信号周波数に関する情報を予め記憶部１２に格納してよい。コントローラ１０は、各地域における無信号周波数に関する情報と、自機の位置情報とに基づいて、無信号周波数を決定してよい。
【００５４】
無信号周波数の電波の受信レベルは、搬送波よりもノイズを多く含みうる。コントローラ１０は、無信号周波数の電波の受信レベルをその周波数におけるノイズの強度とみなしうる。コントローラ１０は、ある周波数が無信号周波数である場合、その周波数の電波の受信レベルに基づいて、その周波数におけるオフセット値を決定してよい。このようにすることで、コントローラ１０は、電波の受信レベルをより正確に補正しうる。
【００５５】
コントローラ１０は、受信部１１で受信周波数をスキャンする際に、無信号周波数をスキップしてよい。このようにすることで、コントローラ１０は、搬送波の周波数を速く検出しうるとともに、ノイズを含むものの搬送波をほとんど含まない周波数を誤って検出しにくくなる。
【００５６】
コントローラ１０は、受信した電波の受信レベルを補正することによって、搬送波の周波数を検出しやすくなる。この場合、コントローラ１０は、受信した電波に対して、ノイズ除去等の処理をしてもよいし、しなくてもよい。つまり、コントローラ１０は、受信した電波に対する変形又は演算等の処理を必要とせずに、搬送波の周波数を効率的に検出しうる。結果として、コントローラ１０は、搬送波の周波数を速く検出しうるとともに、低い負荷で動作しうる。
【００５７】
コントローラ１０は、受信周波数をスキャンすることによって搬送波の周波数を自動で検出してよい。コントローラ１０は、図８に例示されるフローチャートの手順を実行してよい。
【００５８】
コントローラ１０は、受信周波数を初期値に設定する（ステップＳ１）。初期値は、受信部１１で受信可能な最小の周波数であってよいし、受信周波数のスキャンを開始する直前における受信周波数と同一の周波数であってよい。初期値は、これらに限られず、他の周波数であってよい。
【００５９】
コントローラ１０は、出力部１３をミュート状態に遷移させる（ステップＳ２）。このようにすることで、受信周波数のスキャンの間に、出力部１３が過大なノイズを出力しにくくなる。
【００６０】
コントローラ１０は、設定した受信周波数の電波を受信し、その受信レベルを取得する（ステップＳ３）。
【００６１】
コントローラ１０は、オフセット値に基づいて受信レベルを補正し、補正レベルを算出する（ステップＳ４）。コントローラ１０は、記憶部１２に格納されたオフセット値に基づいて受信レベルを補正してよい。
【００６２】
コントローラ１０は、補正レベルが所定の閾値未満であるか判定する（ステップＳ５）。所定の閾値は、スキャン閾値であってよい。
【００６３】
コントローラ１０は、補正レベルが所定の閾値未満である場合（ステップＳ５：ＹＥＳ）、受信周波数を変更する（ステップＳ６）。コントローラ１０は、受信周波数を、現在の値に所定値を加えた値としてよい。所定値は、搬送波の周波数の間隔であってよい。例えば、ＦＭラジオの搬送波の周波数の間隔は、０．１ＭＨｚでありうる。コントローラ１０は、ステップＳ６の手順の後、ステップＳ３の手順に戻る。ステップＳ３〜Ｓ６の手順を含む処理は、周波数スキャン処理ともいう。
【００６４】
コントローラ１０は、補正レベルが所定の閾値未満でない場合（ステップＳ５：ＮＯ）、周波数スキャン処理を停止する（ステップＳ７）。
【００６５】
コントローラ１０は、周波数スキャン処理を停止した時点の受信周波数を、この後に電波を受信する受信周波数として決定する（ステップＳ８）。コントローラ１０は、ＦＭ受信画面に含まれる放送局の名称を、ステップＳ８で決定された受信周波数に対応する名称に変更してよい。
【００６６】
コントローラ１０は、出力部１３のミュート状態を解除する（ステップＳ９）。コントローラ１０は、補正レベルがミュート閾値以上であるか判定した結果に基づいて、出力部１３のミュート状態を解除してよい。コントローラ１０は、補正レベルがスキャン閾値以上である場合に、補正レベルがミュート閾値以上であると判定してよい。コントローラ１０は、補正レベルとミュート閾値とを比較し、補正レベルがミュート閾値以上であるか判定してよい。コントローラ１０は、補正レベルがミュート閾値以上であると判定した場合に、出力部１３のミュート状態を解除してよい。コントローラ１０は、出力部１３のミュート状態を解除した場合、出力部１３を出力状態に遷移させてよい。
【００６７】
コントローラ１０は、補正レベルに基づくＦＭラジオピクト２０を表示する（ステップＳ１０）。コントローラ１０は、補正レベルと所定の閾値との比較に基づいて、ＦＭラジオピクト２０の表示の態様を変更してよい。所定の閾値は、第１表示閾値、第２表示閾値、及び第３表示閾値を含んでよい。コントローラ１０は、ステップＳ９の後、図８のフローチャートの手順を終了する。
【００６８】
コントローラ１０は、操作部１５からの入力に基づいて、受信周波数を変更してよい。コントローラ１０は、図９に例示されるフローチャートの手順を実行してよい。
【００６９】
コントローラ１０は、ユーザの操作に基づいて、受信周波数を変更する（ステップＳ２１）。
【００７０】
コントローラ１０は、ステップＳ２２、Ｓ２３及びＳ２４の手順として、図８のステップＳ２、Ｓ３及びＳ４それぞれと、同一又は類似の手順を実行する。
【００７１】
コントローラ１０は、補正レベルが所定の閾値未満であるか判定する（ステップＳ２５）。所定の閾値は、スキャン閾値であってよい。
【００７２】
コントローラ１０は、補正レベルが所定の閾値未満である場合（ステップＳ２５：ＹＥＳ）、ステップＳ２１の手順に戻る。
【００７３】
コントローラ１０は、補正レベルが所定の閾値未満でない場合（ステップＳ２５：ＮＯ）、現在の受信周波数を、電波を受信する周波数に決定する（ステップＳ２６）。コントローラ１０は、ステップＳ２６の手順として、図８のステップＳ８と同一又は類似の手順を実行する。コントローラ１０は、ステップＳ２７及びＳ２８の手順として、図８のステップＳ９及びＳ１０それぞれと、同一又は類似の手順を実行する。コントローラ１０は、ステップＳ２８の後、図９のフローチャートの手順を終了する。
【００７４】
電子機器１は、携帯電話、又はスマートフォンなどの携帯機器であってよい。電子機器１は、これらに限られず、他の種々の機器であってよい。電子機器１は、ラジオ等の放送に係る搬送波の周波数に近い周波数のノイズを発生しうる機器であってよい。
【００７５】
本開示に係る実施形態について、諸図面及び実施例に基づき説明してきたが、当業者であれば本開示に基づき種々の変形又は修正を行うことが容易であることに注意されたい。従って、これらの変形又は修正は本開示の範囲に含まれることに留意されたい。例えば、各構成部又は各ステップなどに含まれる機能などは論理的に矛盾しないように再配置可能であり、複数の構成部又はステップなどを１つに組み合わせたり、或いは分割したりすることが可能である。本開示に係る実施形態について装置を中心に説明してきたが、本開示に係る実施形態は装置の各構成部が実行するステップを含む方法としても実現し得るものである。本開示に係る実施形態は装置が備えるプロセッサにより実行される方法、プログラム、又はプログラムを記録した記憶媒体としても実現し得るものである。本開示の範囲にはこれらも包含されるものと理解されたい。
【００７６】
本開示において「第１」及び「第２」等の記載は、当該構成を区別するための識別子である。本開示における「第１」及び「第２」等の記載で区別された構成は、当該構成における番号を交換することができる。例えば、第１表示領域は、第２表示領域と識別子である「第１」と「第２」とを交換することができる。識別子の交換は同時に行われる。識別子の交換後も当該構成は区別される。識別子は削除してよい。識別子を削除した構成は、符号で区別される。本開示における「第１」及び「第２」等の識別子の記載のみに基づいて、当該構成の順序の解釈、小さい番号の識別子が存在することの根拠に利用してはならない。
【００７７】
記憶部１２は、オフセット値として、例えば、ＦＭラジオの搬送波として割り当てられうる周波数帯（例えば、４７−１０８ＭＨｚ）の内の各周波数と当該各周波数におけるノイズの受信レベルとの関係を記憶していてよい。この場合、多くの周波数において、対応する受信レベルはゼロとなりうる。また、ノイズの周波数が予め特定される場合、記憶部１２は、特定される周波数と当該周波数におけるノイズの受信レベルとの関係だけをオフセット値として記憶していてもよい。この場合、コントローラ１０は、図８に例示される処理のステップＳ３において、設定した受信周波数の電波を受信するとき、設定した受信周波数が記憶部１２にオフセット値として記憶された周波数に一致するか否かを判定してもよい。コントローラ１０は、設定した受信周波数が記憶部１２にオフセット値として記憶された周波数に一致すると判定した場合にのみ、受信した電波の受信レベルを、オフセット値によって補正するようにしてもよい。
【符号の説明】
【００７８】
１  電子機器
２  上部筐体
３  下部筐体
４  ヒンジ部
１０  コントローラ
１１  受信部
１１ａ  信号ケーブル
１２  記憶部
１３  出力部
１４  ディスプレイ
１４１  第１表示領域
１４２  第２表示領域
１５  操作部
１５１  タッチパッド
１６  通信部
１７  位置情報取得部
２０  ＦＭラジオピクト
２２  イヤホンピクト
【図１】
2019033354.tif 000003
【図２】
2019033354.tif 000004
【図３】
2019033354.tif 000005
【図４】
2019033354.tif 000006
【図５】
2019033354.tif 000007
【図６】
2019033354.tif 000008
【図７】
2019033354.tif 000009
【図８】
2019033354.tif 000010
【図９】
2019033354.tif 000011